(57)【要約】【課題】集熱管を内部に有する太陽熱集熱器を備えた太陽熱集熱システムにおいて、部品点数を削減して装置全体のコンパクト化を図りつつ、太陽熱集熱器の受光面の積雪を確実に除去する。【解決手段】集熱管（71)に供給する熱媒体を加熱するための熱交換部を設けるとともに、該集熱管（71)の供給側端部を受光面（70a）から外気に露出させるようにする。【選択図】図８
2009281623.tif 000002
【特許請求の範囲】
【請求項１】
一端側から供給される熱媒体を他端側に排出する集熱管（71)を内部に有するとともに、屋外に配設されて一の面を受光面（70a）として該受光面（70a）から太陽光を受光することで太陽熱を該集熱管（71)内の熱媒体に伝達して集熱する太陽熱集熱器（70）と、該太陽熱集熱器（70）の受光面（70a）に付着した雪を除去するための除雪手段とを備えた太陽熱集熱システムであって、
上記集熱管（71)に供給される熱媒体を加熱する熱媒体加熱手段（78)をさらに備え、
上記集熱管（71)は、その一部が上記太陽熱集熱器（70）の受光面（70a）から外気に露出するように形成され、
上記除雪手段は、上記熱媒体加熱手段（78)と、上記集熱管（71)の上記露出部分（71a）とからなるものであって、該熱媒体加熱手段（78)により加熱された熱媒体から該集熱管（71)に伝わる熱により該集熱管（71)の該露出部分（71a）を昇温して、該昇温した露出部分（71a）の放熱によって上記太陽熱集熱器（70）の受光面（70a）に付着した雪を溶かして除去するように構成されていることを特徴とする太陽熱集熱システム。
【請求項２】
請求項１記載の太陽熱集熱システムにおいて、
上記集熱管（71)は、上記熱媒体が供給される上記一端側端部が上記太陽熱集熱器（70）の受光面（70a）に露出するように形成されていることを特徴とする太陽熱集熱システム。
【請求項３】
請求項２記載の太陽熱集熱システムにおいて、
上記太陽熱集熱器（70）は、片側面が上記受光面（70a）とされるパネル状をなしていて、傾斜した屋根上面（80）に沿って配設されるとともに、上記集熱管（71)の上記一端側端部が該受光面（70a）の上端部に位置するように構成されていることを特徴とする太陽熱集熱システム。
【請求項４】
請求項１乃至３のいずれか一項に記載の太陽熱集熱システムにおいて、
上記除雪手段は、空気を加熱するための空気加熱手段（90a）と、該空気加熱手段（90a）により加熱された空気を除雪用の温風として上記太陽熱集熱器（70）の受光面（70a）に吹き付ける送風手段（90b）とを含んでいて、上記太陽熱集熱器（70）の受光面（70a）に付着した雪を、上記集熱管（71)の露出部分（71a）の放熱により溶かすとともに、さらに該除雪用の温風の熱により溶かして除去するように構成されていることを特徴とする太陽熱集熱システム。
【請求項５】
請求項１乃至４のいずれか一項に記載の太陽熱集熱システムにおいて、
雪が降っていることを検知する降雪検知手段（79）をさらに備え、
上記除雪手段は、上記降雪検知手段（79）により降雪が検知されたときに作動して除雪を実行する一方、該降雪検知手段（79）により降雪が検知されないときには作動しないように構成されていることを特徴とする太陽熱集熱システム。
【発明の詳細な説明】
【技術分野】
【０００１】
本発明は、熱媒体が流れる集熱管を内部に有して屋外に配設される太陽熱集熱器と、該太陽熱集熱器の受光面に付着した雪を除去するための除雪手段とを備えた太陽熱集熱システムに関する技術分野に属する。
【背景技術】
【０００２】
従来より、住宅等の屋根上面に配設されて、受光した太陽光の熱を集熱する太陽熱集熱器は知られており、この太陽熱集熱器では、降雪により受光面が雪で覆われることにより集熱が妨げられるのを防止するべく、除雪手段を設ける場合がある。
【０００３】
例えば、特許文献１に示すものでは、住宅等の屋根上面に太陽熱集熱器を設けるとともに、除雪用の融雪パネルを、該太陽熱集熱器に対して該屋根上面の傾斜方向（以下、屋根面斜方向という）の下側に並べて配設することで、該太陽熱集熱器の受光面の積雪を溶かして除去するようにしている。
【０００４】
具体的には、この太陽熱集熱器は、保温板と、該保温板に埋設されて熱媒体が流れる銅パイプからなる集熱管と、該集熱管の表面側（受光面側）を覆って該集熱管の外気への放熱（銅パイプの表面からの放熱）を抑制するための断熱層（空気密封層）を形成する強化ガラスとで構成されている。融雪パネルは、太陽熱集熱器と同様に保温板と銅パイプ（集熱管）とを有する一方で強化ガラスを有さない構成とされて、集熱管の表面が外気に露出するようになっている。したがって、降雪により屋根上面に配設された太陽熱集熱器及び融雪パネルが雪で覆われた場合に、太陽熱集熱器を覆う積雪に対しては強化ガラスを介してしか集熱管の放熱が伝達されないのに対し、融雪パネルを覆う積雪については、集熱管の放熱が直接伝達されて容易に融解除去されることとなる。こうして、特許文献１に示すものでは、太陽熱集熱器の受光面の積雪に対して屋根面傾斜方向の下側に位置する積雪（融雪パネル表面の積雪）を、該融雪パネルの幅に応じて除去することで、該受光面の積雪をその傾斜方向の下側に滑らせて除去するようになっている。
【特許文献１】特開２０００−２２６９１６号公報
【発明の開示】
【発明が解決しようとする課題】
【０００５】
しかしながら、上記特許文献１に示す太陽熱集熱システムでは、太陽熱集熱器とは別に融雪パネルを設ける必要があるため部品点数が増加してコスト増加を招くという問題がある。
【０００６】
また、太陽熱集熱器の受光面上の積雪全てを確実に除去するためには、融雪パネルの幅を広くとって、該集熱器に対して屋根面傾斜方向の下側に積もった雪を全て除去する必要がある。このため、融雪パネルが大型化してシステム全体のコンパクト性が損なわれるという問題がある。
【０００７】
本発明は斯かる点に鑑みてなされたものであり、その目的とするところは、太陽熱集熱器と、除雪手段とを備えた太陽熱集熱システムに対して、その構成に工夫を凝らすことで、部品点数の少ないコンパクトな構成で、太陽熱集熱器の受光面の積雪を確実に除去しようとすることにある。
【課題を解決するための手段】
【０００８】
上記の目的を達成するために、この発明では、集熱管（71)に供給される熱媒体を加熱する熱媒体加熱手段（78)を備えるとともに、集熱管（71)の一部を太陽熱集熱器（70）の受光面（70a）から外気に露出させるようにした。
【０００９】
第１の発明は、一端側から供給される熱媒体を他端側に排出する集熱管（71)を内部に有するとともに、屋外に配設されて一の面を受光面（70a）として該受光面（70a）から太陽光を受光することで太陽熱を該集熱管（71)内の熱媒体に伝達して集熱する太陽熱集熱器（70）と、該太陽熱集熱器（70）の受光面（70a）に付着した雪を除去するための除雪手段とを備えた太陽熱集熱システムを対象とする。
【００１０】
そして、上記集熱管（71)に供給される熱媒体を加熱する熱媒体加熱手段（78)をさらに備え、上記集熱管（71)は、その一部が上記太陽熱集熱器（70）の受光面（70a）から外気に露出するように形成され、上記除雪手段は、上記熱媒体加熱手段（78)と、上記集熱管（71)の上記露出部分（71a）とからなるものであって、該熱媒体加熱手段（78)により加熱された熱媒体から該集熱管（71)に伝わる熱により該集熱管（71)の該露出部分（71a）を昇温して、該昇温した露出部分（71a）の放熱によって上記太陽熱集熱器（70）の受光面（70a）に付着した雪を溶かして除去するように構成されているものとする。
【００１１】
第１の発明では、集熱管（71)の一部は、受光面（70a）に露出しており、このため、降雪により該受光面（70a）に雪が積もった場合に、該露出部分（71a）から放出される熱がこの積雪に直接伝達されて、該露出部分（71a）周辺の雪が先ず溶かされて水になり、この水によりさらに周辺の雪が連鎖的に溶かされ、さらに該露出部分（71a）からの放熱が受光面（70a）全体に伝達されて該受光面（70a）の温度が上昇することで該受光面（70a）上の積雪は確実に融解して除去されることとなる。
【００１２】
ここで、集熱管（71)の露出部分（71a）の放熱量は、雪を溶かすのに十分な熱量である必要があるが、本発明では、集熱管（71)に供給される熱媒体を熱媒体加熱手段（78)により加熱するようにしており、これにより、該露出部分（71a）の放熱量を十分に高めて上記受光面（70a）上の積雪を確実に溶かすことができる。よって、受光面（70a）上の積雪を確実に除去して、太陽熱集熱器（70）による太陽熱集熱を確実に行うことができる。
【００１３】
また、本発明では、受光面（70a）上の積雪を除去するために、既設の集熱管（71)を利用してその一部を受光面（70a）に露出させるようにしており、これにより、部品点数を削減してコスト低減を図るとともにシステム全体の小型化を図ることが可能となる。
【００１４】
第２の発明は、第１の発明において、上記集熱管（71)は、上記熱媒体が供給される上記一端側端部が上記太陽熱集熱器（70）の受光面（70a）に露出するように形成されているものとする。
【００１５】
第２の発明では、集熱管（71)の一端側端部、つまり熱媒体加熱手段（78)により加熱された熱媒体が供給される供給側端部であって管内を流れる熱媒体の温度が他の部分に比べて高くなる部分を受光面（70a）に露出させるようにしたことで、該露出部分（71a）から該受光面（70a）上の積雪に伝達される熱量を可及的に高めることができる。よって、該受光面（70a）上の積雪をより一層確実に融解除去することができる。
【００１６】
第３の発明は、第２の発明において、上記太陽熱集熱器（70）は、片側面が上記受光面（70a）とされるパネル状をなしていて、傾斜した屋根上面（80）に沿って配設されるとともに、上記集熱管（71)の上記一端側端部が該太陽熱集熱器（70）における該受光面（70a）の上端部に位置するように構成されているものとする。
【００１７】
第３の発明では、集熱管（71)の一端側端部（上記露出部分（71a））が、太陽熱集熱器（70）の受光面（70a）の上端部に位置しており、このため、受光面（70a）上の積雪は集熱管（71)が露出する上端部から溶け始めることとなり、この積雪が溶けて生じた水は受光面（70a）に沿ってその傾斜方向（屋根上面（80）の傾斜方向に沿う方向）の下側に流れ落ちてさらに下側の積雪を溶かして行く。そうして、受光面（70a）上の積雪を上端側から下端側に向かって連鎖的に効率良く溶かすことができる。
【００１８】
第４の発明は、第１乃至第３のいずれか１つの発明において、上記除雪手段は、空気を加熱するための空気加熱手段（90a）と、該空気加熱手段（90a）により加熱された空気を除雪用の温風として上記太陽熱集熱器（70）の受光面（70a）に吹き付ける送風手段（90b）とを含んでいて、上記太陽熱集熱器（70）の受光面（70a）に付着した雪を、上記集熱管（71)の露出部分（71a）の放熱により溶かすとともに、さらに該除雪用の温風の熱により溶かして除去するように構成されているものとする。
【００１９】
第４の発明では、送風手段（90b）は、空気加熱手段（90a）により加熱された空気を除雪用の温風として太陽熱集熱器（70）の受光面（70a）に吹き付ける。したがって、太陽熱集熱器（70）の受光面（70a）に付着した雪を該温風の熱でもって確実に溶かして除去することができる。したがって、第１の発明と同様の作用効果をより一層確実に得ることができる。
【００２０】
第５の発明は、第１乃至第４のいずれか１つの発明において、雪が降っていることを検知する降雪検知手段（79）をさらに備え、上記除雪手段は、上記降雪検知手段（79）により降雪が検知されたときに作動して除雪を実行する一方、該降雪検知手段（79）により降雪が検知されないときには作動しないように構成されているものとする。
【００２１】
第５の発明では、除雪手段は、降雪検知手段（79）により降雪が検知されたときに作動して除雪を実行する。したがって、雪が降り始めたと同時に除雪手段による融雪を開始することができる。よって、太陽熱集熱器（70）の受光面（70a）が大量の積雪で覆われる前に該受光面（70a）に付着した雪を確実に溶かして除去することができる。
【００２２】
また、除雪手段は、降雪検知手段（79）により降雪が検知されないときには作動しないようになっている。これにより、除雪手段の作動頻度を極力抑えて、省エネ化を図ることができる。
【発明の効果】
【００２３】
以上説明したように、本発明の太陽熱集熱システムによると、集熱管（71)に供給される熱媒体を加熱する熱媒体加熱手段（78)を備えるとともに、集熱管（71)の一部を太陽熱集熱器（70）の受光面（70a）に露出させるようにしたことで、太陽熱集熱器（70）の受光面（70a）の積雪を確実に溶かして除去することができ、これによって、該受光面（70a）から入射する太陽熱を確実に集熱することが可能となる。
【００２４】
また、第２の発明によれば、集熱管（71)の管内温度（熱媒体の温度）が高くなる部分を受光面（70a）に露出させることができるので、受光面（70a）上の積雪をより一層確実に溶かして除去することができる。
【００２５】
第３の発明によれば、受光面（70a）上の積雪を上端側から下端側に向かって連鎖的に効率良く溶かすことができる。
【００２６】
第４の発明によれば、送風手段（90b）により太陽熱集熱器（70）に吹き付けられる温風でもって、該太陽熱集熱器（70）の受光面（70a）に付着した雪を確実に融解除去することができ、第１の発明と同様の作用効果をより一層確実に得ることができる。
【００２７】
第５の発明によれば、太陽熱集熱器（70）の受光面（70a）が大量の積雪で覆われる前に該受光面（70a）に付着した雪を確実に溶かして除去することができるとともに、システム全体の省エネ化を図ることが可能となる。
【発明を実施するための最良の形態】
【００２８】
以下、本発明の実施形態を図面に基づいて詳細に説明する。
【００２９】
（実施形態１）
図１は、本発明の実施形態に係る太陽熱集熱システムを利用した太陽熱利用給湯システム（10ａ）を備えた暖房・給湯システム（10）を示し、この暖房・給湯システム（10）は、上記太陽熱利用給湯システム（10ａ）の他に、ヒートポンプ式の熱源ユニット（20）を熱源として室内暖房を行う暖房システム（10ｂ）を備えている。
【００３０】
〈暖房システムの構成〉
上記暖房システム（10ｂ）は、上記熱源ユニット（20）により熱搬送回路（30）の熱媒体を加熱するとともに、その熱媒体が放出する熱を利用して室内暖房を行うものであって、熱源ユニット（20）の冷媒回路（21）が一次側回路を構成し、熱搬送回路（30）が二次側回路を構成してなる。
【００３１】
具体的に、熱搬送回路（30）には、図１に示すように、熱源側熱交換器（23）と、複数の利用側熱交換器（35,35）とが接続されている。複数の利用側熱交換器（35）は、供給側ヘッダ（33）と戻り側ヘッダ（34）の間において互いに並列に接続されている。熱搬送回路（30）では、熱源側熱交換器（23）と複数の利用側熱交換器（35）との間で、熱媒体である水が循環する。
【００３２】
熱源側熱交換器（23）は、後述する冷媒回路（21）が接続された第１通路（23ａ）と、熱搬送回路（30）が接続された第２通路（23ｂ）とを備えている。熱源側熱交換器（23）は、第１通路（23ａ）の冷媒と第２通路（23ｂ）の水とが熱交換を行うように構成されている。熱源側熱交換器（23）は、例えばプレート式の熱交換器により構成されている。また、利用側熱交換器（35）は、床面材の裏側に設置される床暖房用のラジエータや、室内空間に設置されるラジエータとして構成されている。
【００３３】
また、熱搬送回路（30）は、熱源側熱交換器（23）の出口から各利用側熱交換器（35）の入口に至るまでの供給通路（31ａ）と、各利用側熱交換器（35）の出口から第２通路（23ｂ）の入口へ至るまでの戻り通路（31ｂ）とを有している。
【００３４】
供給通路（31ａ）では、熱源側熱交換器（23）と供給側ヘッダ（33）の間に、開閉自在の第１開閉弁（41）が設けられている。
【００３５】
一方、戻り通路（31ｂ）では、戻り側ヘッダ（34）側から熱源側熱交換器（23）側に向かって、開閉自在の第６開閉弁（46）と、運転容量が可変のポンプ（36）とが順に設けられている。また、戻り通路（31ｂ）におけるポンプ（36）の吸入側には、熱搬送回路（30）の圧力を逃がすための膨張タンク（38）が接続されている。また、戻り通路（31ｂ）における戻り側ヘッダ（34）とポンプ（36）の間には、各利用側熱交換器（35）で放熱した水の温度を計測するための出口温度センサ（16）が設けられている。尚、出口温度センサ（16）は、計測した温度情報を後述のコントローラ（50）に出力する。
【００３６】
また、戻り通路（31ｂ）には、第６開閉弁（46）の上流側から分岐して該第６開閉弁（46）をバイパスした後にその下流側にて戻り通路（31ｂ）に合流する分岐通路（65）が接続されている。分岐通路（65）には、熱交換器（78）を構成する熱交換部（78ａ）が設けられている。
【００３７】
また、本実施形態１の熱搬送回路（30）には、熱源側熱交換器（23）で加熱された温水を貯留するための蓄熱タンク（37）が設けられている。蓄熱タンク（37）では、水が満杯になっており、上方ほど水の温度が高くなっている。蓄熱タンク（37）の頂部には、蓄熱タンク（37）に温水を流入させるための入湯通路（61）と、蓄熱タンク（37）から温水を流出させるための出湯通路（64）とが接続されている。入湯通路（61）は、供給通路（31ａ）における熱源側熱交換器（23）と第１開閉弁（41）の間から分岐している。入湯通路（61）には、開閉自在の第２開閉弁（42）が設けられている。一方、出湯通路（64）は、供給通路（31ａ）における第１開閉弁（41）と供給側ヘッダ（33）との間に合流している。出湯通路（64）には、開閉自在の第５開閉弁（45）が設けられている。
【００３８】
また、本実施形態１の戻り通路（31ｂ）には、戻り側ヘッダ（34）とポンプ（36）の間に第１連通通路（62ａ）が接続され、ポンプ（36）と熱源側熱交換器（23）の間に第２連通通路（62ｂ）が接続されている。第１連通通路（62ａ）と第２連通通路（62ｂ）は、戻り通路（31ｂ）とは逆側が、蓄熱タンク（37）の底面に接続された合流通路（63）で合流している。第１連通通路（62ａ）は、蓄熱タンク（37）の下部をポンプ（36）の吸入側に連通させる。第１連通通路（62ａ）には、開閉自在の第４開閉弁（44）が設けられている。一方、第２連通通路（62ｂ）は、蓄熱タンク（37）の下部をポンプ（36）の吐出側に連通させる。第２連通通路（62ｂ）には、開閉自在の第３開閉弁（43）が設けられている。
【００３９】
本実施形態１の熱搬送回路（30）では、第１から第５開閉弁（41〜45）を制御することによって、熱源側熱交換器（23）で加熱された温水だけを各利用側熱交換器（35）へ供給する通常動作と、熱源側熱交換器（23）で加熱された温水を各利用側熱交換器（35）と蓄熱タンク（37）の両方へ供給する蓄熱動作と、熱源側熱交換器（23）で加熱された温水と蓄熱タンク（37）内の温水の両方を各利用側熱交換器（35）へ供給する利用動作の３種類の動作のうち何れかが行われる。各動作についての詳細は後述する。
【００４０】
熱源ユニット（20）には、冷媒が充填された冷媒回路（21）が収容されている。冷媒回路（21）には、フロン系冷媒が充填されている。但し、フロン系の冷媒の代わりに二酸化炭素を用いてもよい。冷媒回路（21）には、圧縮機（22）、熱源側熱交換器（23）、減圧機構（24）、及び室外熱交換器（25）が順番に接続されている。
【００４１】
圧縮機（22）は、運転容量が固定の圧縮機として構成されている。圧縮機（22）は、電動機が常に一定の回転速度で運転されるものであって、その運転容量が固定になっている。圧縮機（22）は、暖房システム（10ｂ）の運転中は停止することなく連続運転を行う。つまり、圧縮機（22）は、熱搬送回路（30）で水が循環している間は停止することなく連続運転を行う。
【００４２】
熱源側熱交換器（23）は、第１通路（23ａ）が冷媒回路（21）に接続されている。減圧機構（24）は、開度可変の電子膨張弁として構成されている。室外熱交換器（25）は、クロスフィン型のフィン・アンド・チューブ熱交換器として構成されている。室外熱交換器（25）の近傍には、室外熱交換器（25）に空気を送るための室外ファン（26）が設けられている。
【００４３】
〈太陽熱利用給湯システムの構成〉
上記太陽熱利用給湯システム（10ａ）は、一端側から供給される熱媒体（本実施形態では不凍液）を他端側に排出する集熱管（71）を内部に有して太陽熱を集熱する太陽熱集熱器（70）と、該集熱管（71）の該他端側端部（以下、排出側端部という）から排出された熱媒体を一端側端部（以下、供給側端部という）に還流させるべく該端部同士を接続する循環管路（72）と、内部に給湯用水を貯留して該循環管路（72）の熱交換部（72ａ）との間で熱交換させる温水タンク（73）と、循環管路（72）における温水タンク（73）よりも下流側に設けられる循環用ポンプ（74）と、温水タンク（73）に接続されて給湯栓（76）まで温水を導く給湯管（77）と、屋根上面（80）に配設され、降雪（雪が降っていること）を検知する降雪センサ（79）とを備えている。
【００４４】
循環管路（72）における循環用ポンプ（74）よりも下流側には、熱交換器（78）を構成する熱交換部（78ｂ）が設けられており、太陽熱利用給湯システム（10ａ）は、熱交換器（78）を介して上記暖房システム（10ｂ）に接続されている。尚、図１中の符号（75）は、熱媒体を貯留するためのリザーブタンクであり、（81）は、温水タンク（73）内の給湯用水を補充するための給水管である。
【００４５】
上記降雪センサ（79）は、その検知情報を後述するコントローラ（50）に出力し、コントローラ（50）は、該降雪センサ（79）からの検知情報に基づいて、熱搬送回路（30）に除雪／除雪解除動作を実行させる。この動作についての詳細は後述する。
【００４６】
上記太陽熱集熱器（70）は、太陽光を受光してその熱を集熱管（71）内の熱媒体に伝達して集熱するものであり、上記太陽熱利用給湯システム（10ａ）は、循環用ポンプ（74）を駆動して、上記熱媒体を太陽熱集熱器（70）（集熱管（71））と温水タンク（73）内を通る熱交換部（72ａ）との間で循環させることで、太陽熱集熱器（70）にて集熱された太陽熱を、熱交換部（72ａ）を介して温水タンク（73）内の給湯用水に伝達する。そうして、該温水タンク（73）内の給湯用水が加熱され、該加熱された給湯用水は、給湯管（77）を通って図示しない給湯制御器により温調された後に給湯栓（76）から排出されて、風呂やシャワー等に利用される。ここで、集熱管（71）の排出側端部（出口）には、熱媒体の温度を検知する集熱管出口温度センサ（84）が設けられ、また温水タンク（73）内には、タンク下部の水温を検知するタンク内温度センサ（91）が設けられている。そして、該各センサ（84,91）にて検知された温度情報は後述するコントローラ（50）に出力され、コントローラ（50）は、この温度情報を基に循環用ポンプ（74）の作動を制御する。
【００４７】
上記太陽熱集熱器（70）は、片側面が太陽光受光面（70ａ）を構成するパネル状を呈していて、該受光面（70ａ）を太陽側に向けた状態で、住宅の屋根上面（80）に配設されている。この屋根上面（80）は、軒先側に行くにしたがって低くなる傾斜面とされ、太陽熱集熱器（70）は、該屋根上面（80）に沿って配設されており、太陽熱集熱器（70）の傾斜方向と屋根上面（80）の傾斜方向（以下、屋根面傾斜方向という）とは略一致している。
【００４８】
太陽熱集熱器（70）は、図８に示すように、断熱材からなる保温板（81）と、該保温板（81）に対して表面（受光面（70ａ）側の表面）が露出するように埋設される銅製パイプからなる上記集熱管（71）と、保温板（81）の周縁部に沿って配設される枠体（82）と、該枠体（82）を介して保温板（81）に対して所定距離を隔てて配設される強化ガラス（83）とで構成されており、保温板（81）と強化ガラス（83）との間には空気層（86）が形成されている。
【００４９】
上記集熱管（71）は、図７に示すように、屋根面傾斜方向の上側から下側に向かって、左右方向（屋根面傾斜方向に直交する方向）に往復して蛇行しながら延びており、該集熱管（71）の供給側端部は、太陽熱集熱器（70）の該受光面（70ａ）の上端部にて外気に露出するように形成されている。
【００５０】
より詳細には、集熱管（71）は、枠体（82）の上側枠部（82ａ）（図８参照）の受光側面（82b）に沿ってその左右方向の一側から他側に向かって延びて該上側枠部（82ａ）の該他側端部に達した後にＵ字状に折れ曲がって該一側に向かって延びるとともに該一側端部に達した後に、該上側枠部（82ａ）の枠体内側面（82c）に沿って保温板（81）側に屈曲して、その後は、強化ガラス（83）の下側に入り込んで保温板（81）に形成されたパイプ溝（81ａ）に沿って配設されている。
【００５１】
〈コントローラの構成〉
本発明の実施形態１に係る暖房・給湯システム（10）には、太陽熱利用給湯システム（10ａ）及び暖房システム（10ｂ）のそれぞれの運転状態を制御するコントローラ（50）が設けられている。
【００５２】
コントローラ（50）は、集熱管出口温度センサ（84）及びタンク内温度センサ（91）に信号の授受可能に接続されていて、各センサ（84,91）からの情報を基に、循環用ポンプ（74）に対して必要な制御信号を出力してその作動を制御する。
【００５３】
具体的には、コントローラ（50）は、集熱管出口温度センサ（84）の検知温度とタンク内温度センサ（91）の検知温度との差が設定温度以上のときには、循環用ポンプ（74）を駆動させる一方、両者の温度差が該設定温度未満のときには、循環用ポンプ（74）を停止させるように構成されている。従って、例えば、晴天日の日の出とともに、太陽熱集熱器（70）の集熱管（71）内の熱媒体が太陽熱で加熱されてその温度が上昇することで、熱媒体温度と温水タンク（73）内の水温との差が設定温度以上になったときには、コントローラ（50）により循環用ポンプ（74）が駆動されて集熱運転が開始される。そして、日中に集熱運転が続いて、集熱管（71）内の熱媒体温度と温水タンク（73）内の水温との差が設定温度未満になったときには、循環用ポンプ（74）が停止して放熱運転を防止し、これによって、太陽熱を効率良く集熱可能になっている。
【００５４】
また、コントローラ（50）は、上記出口温度センサ（16）に信号の授受可能に接続されていて、該センサ（16）の計測値に基づいて通常動作と蓄熱動作と利用動作とから実行する動作を選択するとともに、該選択した動作を熱搬送回路（30）に実行させるように構成されている。
【００５５】
コントローラ（50）には、出口温度センサ（16）の計測値（Ｔｏ）と、室内の設定温度（Ｔｓ）とが入力される。また、コントローラ（50）には、熱搬送回路（30）の動作を選択するための第１判定値（Ｔ１）及び第２判定値（Ｔ２）が、予め設定されている。第１判定値（Ｔ１）はプラスの値になっている。第２判定値（Ｔ２）は、マイナスの値になっており、絶対値が第１判定値（Ｔ１）に等しくなっている。
【００５６】
コントローラ（50）は、出口温度センサ（16）の計測値（Ｔｏ）と室内の設定温度（Ｔｓ）との差（Ｔｏ−Ｔｓ）を、第１判定値（Ｔ１）及び第２判定値（Ｔ２）と比較することによって、実行する動作を選択する。
【００５７】
具体的に、コントローラ（50）は、下記の式１が成立する場合、つまり、各利用側熱交換器（35）を通過した水の温度が所定の数値範囲（Ｔ２＋Ｔｓ以上Ｔ１＋Ｔｓ以下の範囲）内の値であると判断した場合には、通常動作を選択する。通常動作は、図２に示すように、室内の暖房負荷がそれほど高くも低くもないときに選択される。コントローラ（50）は、通常動作を選択すると、第１開閉弁（41）を開状態に設定し、第２開閉弁（42）、第３開閉弁（43）、第４開閉弁（44）及び第５開閉弁（45）を閉状態に設定することによって、熱搬送回路（30）に通常動作を実行させる。
【００５８】
式１：Ｔ２≦Ｔｏ−Ｔｓ≦Ｔ１
また、コントローラ（50）は、下記の式２が成立する場合、つまり、各利用側熱交換器（35）を通過した水の温度が所定の数値範囲内の上限値（Ｔ１＋Ｔｓ）を上回ると判断した場合には、蓄熱動作を選択する。蓄熱動作は、室内の暖房負荷が比較的低く各利用側熱交換器（35）で温水の温度がそれほど低下しない場合に選択される。コントローラ（50）は、蓄熱動作を選択すると、第１開閉弁（41）、第２開閉弁（42）及び第４開閉弁（44）を開状態に設定し、第３開閉弁（43）及び第５開閉弁（45）を閉状態に設定することによって、熱搬送回路（30）に蓄熱動作を実行させる。また、コントローラ（50）は、ポンプ（36）の吐出流量は通常動作のまま維持する。
【００５９】
式２：Ｔ１＜Ｔｏ−Ｔｓ
また、コントローラ（50）は、下記の式３が成立する場合、つまり、各利用側熱交換器（35）を通過した水の温度が所定の数値範囲内の下限値（Ｔ２＋Ｔｓ）を下回ると判断した場合には、利用動作を選択する。利用動作は、室内の暖房負荷が比較的高く各利用側熱交換器（35）で温水の温度が比較的大きく低下する場合に選択される。コントローラ（50）は、利用動作を選択すると、第１開閉弁（41）、第３開閉弁（43）及び第５開閉弁（45）を開状態に設定し、第２開閉弁（42）及び第４開閉弁（44）を閉状態に設定することによって、熱搬送回路（30）に利用動作を実行させる。また、コントローラ（50）は、ポンプ（36）の吐出流量を通常動作よりも大きな値に設定する。
【００６０】
式３：Ｔｏ−Ｔｓ＜Ｔ２
また、コントローラ（50）は、降雪センサ（79）に信号の授受可能に接続されていて、該センサ（79）からの検知情報に基づいて、除雪動作と除雪解除動作とのいずれかを選択して熱搬送回路（30）に実行させる。
【００６１】
具体的には、コントローラ（50）は、降雪センサ（79）により降雪が検知されないときには、第６開閉弁（46）を開状態に設定し且つ第７開閉弁（47）を閉状態に設定する除雪解除動作を実行する一方、降雪センサ（79）により降雪が検知されたときには、第６開閉弁（46）を閉状態に設定し且つ第７開閉弁（47）を開状態に設定する除雪動作を実行する。
【００６２】
そうして、コントローラ（50）は、出口温度センサ（16）及び降雪センサ（79）からの温度情報を基に、上記通常／蓄熱／利用動作と、除雪／除雪解除動作とを組み合わせて熱搬送回路（30）に実行させる。
【００６３】
−暖房システムの運転動作−
本実施形態１の暖房システム（10ｂ）の動作について説明する。なお、この暖房システム（10ｂ）では、電源がオンになっている間は、冷媒回路（21）で圧縮機（22）が連続運転を行い、熱搬送回路（30）でポンプ（36）が連続運転を行う。
【００６４】
まず冷媒回路（21）の動作について説明する。冷媒回路（21）では、圧縮機（22）から吐出された冷媒が循環することによって、熱源側熱交換器（23）が放熱器（凝縮器）として動作して、室外熱交換器（25）が吸熱器として動作する冷凍サイクルが行われる。この冷凍サイクルでは、減圧機構（24）の開度が適宜調節される。
【００６５】
具体的に、圧縮機（22）から吐出された冷媒は、熱源側熱交換器（23）の第１通路（23ａ）において第２通路（23ｂ）の水に放熱して凝縮する。熱源側熱交換器（23）で凝縮した冷媒は、減圧機構（24）で減圧され、室外熱交換器（25）において室外ファン（26）が送る空気から吸熱して蒸発する。室外熱交換器（25）で蒸発した冷媒は、圧縮機（22）に戻って圧縮され、再び吐出される。なお、冷媒回路（21）の動作は、熱搬送回路（30）の動作の種類によらず同じである。
【００６６】
続いて、熱搬送回路（30）の動作に関して、通常／蓄熱／利用動作について説明した後に、除雪／除雪解除動作についての説明を行う。尚、以下の説明では、特に断らない限り、コントローラ（50）により除雪解除動作が実行されているものとする。
【００６７】
〈通常動作〉
通常動作では、図３に示すように、第１開閉弁（41）が開状態に設定され、第２開閉弁（42）、第３開閉弁（43）、第４開閉弁（44）及び第５開閉弁（45）が閉状態に設定される。熱搬送回路（30）では、熱源側熱交換器（23）の第２通路（23ｂ）で冷媒によって加熱された温水が、供給通路（31ａ）を通じて供給側ヘッダ（33）に流入する。供給側ヘッダ（33）では、温水が各利用側熱交換器（35）に分配される。各利用側熱交換器（35）では、分配された温水が室内へ放熱して冷却される。各利用側熱交換器（35）で放熱した水は、戻り側ヘッダ（34）で他の利用側熱交換器（35）を放熱した水と合流し、熱源側熱交換器（23）に戻って再び加熱される。
【００６８】
熱搬送回路（30）では、熱源側熱交換器（23）と各利用側熱交換器（35）の間で水が循環することで、冷媒回路（21）の冷媒の熱が熱搬送回路（30）の水を介して室内に伝達され、室内が暖房される。なお、熱源側熱交換器（23）と各利用側熱交換器（35）の間で水が循環する点は、後述する蓄熱動作及び利用動作でも同じである。
【００６９】
〈蓄熱動作〉
蓄熱動作では、図４に示すように、第１開閉弁（41）、第２開閉弁（42）及び第４開閉弁（44）が開状態に設定され、第３開閉弁（43）及び第５開閉弁（45）が閉状態に設定される。ポンプ（36）の運転容量は、通常動作と同じ値に設定される。以下では、通常動作と異なる点について説明する。
【００７０】
熱搬送回路（30）では、第４開閉弁（44）が開状態になっているので、蓄熱タンク（37）の下層の水が、第１連通通路（62ａ）を通じてポンプ（36）に吸入されて、蓄熱タンク（37）から流出する。蓄熱タンク（37）から流出した水は、各利用側熱交換器（35）を通過した水と合流して、熱源側熱交換器（23）へ送られる。また、熱搬送回路（30）では、第２開閉弁（42）が開状態になっているので、供給通路（31ａ）を流れる温水の一部が、入湯通路（61）を通じて蓄熱タンク（37）へ流入する。蓄熱タンク（37）には、第１連通通路（62ａ）から流出する流量と同じ流量の温水が流入する。蓄熱タンク（37）では、熱源側熱交換器（23）で加熱された高温の水が流入して下層の低温の水が流出するので、温水量が増加する。
【００７１】
蓄熱動作では、熱源側熱交換器（23）で加熱された温水の一部が蓄熱タンク（37）へ供給されるので、各利用側熱交換器（35）へ供給される温水の流量が通常動作に比べて少なくなる。従って、各利用側熱交換器（35）へ供給される温水の熱量が通常動作に比べて少なくなるので、各利用側熱交換器（35）における加熱能力が通常動作に比べて低くなる。
【００７２】
〈利用動作〉
利用動作では、図５に示すように、第１開閉弁（41）、第３開閉弁（43）及び第５開閉弁（45）が開状態に設定され、第２開閉弁（42）及び第４開閉弁（44）が閉状態に設定される。ポンプ（36）の吐出流量は、通常動作よりも大きな値に設定される。以下では、通常動作と異なる点について説明する。
【００７３】
熱搬送回路（30）では、第５開閉弁（45）が開状態になっているので、蓄熱タンク（37）の上層の温水が、出湯通路（64）を通じて流出する。蓄熱タンク（37）から流出した温水は、熱源側熱交換器（23）で加熱された温水と合流して、各利用側熱交換器（35）へ供給される。また、熱搬送回路（30）では、第３開閉弁（43）が開状態になっているので、ポンプ（36）から吐出された水の一部が、第２連通通路（62ｂ）を通じて蓄熱タンク（37）へ供給される。蓄熱タンク（37）には、出湯通路（64）から流出する流量と同じ流量の水が流入する。蓄熱タンク（37）では、上層の高温の水が流出して放熱後の比較的低温の水が流入するので、温水量が減少する。
【００７４】
利用動作では、熱源側熱交換器（23）だけでなく蓄熱タンク（37）からも各利用側熱交換器（35）へ温水が供給されるので、各利用側熱交換器（35）へ供給される温水の流量が通常動作に比べて多くなる。従って、各利用側熱交換器（35）へ供給される温水の熱量が通常動作に比べて多くなるので、各利用側熱交換器（35）における加熱能力が通常動作に比べて高くなる。
【００７５】
〈除雪動作／除雪解除動作〉
除雪解除動作では、図３に示すように（同図では、コントローラ（50）により熱搬送回路（30）の通常動作及び除雪解除動作が実行されている例を示す）、第６開閉弁（46）が開状態に設定される一方、第７開閉弁（47）が閉状態に設定される。このため、上記通常／蓄熱／利用動作の各動作において戻り側ヘッダ（34）から排出された水は、第６開閉弁（46）をバイパスすることなく、第６開閉弁（46）を通過して戻り通路（31ｂ）内を流れる。
【００７６】
除雪動作では、図６に示すように（同図では、コントローラ（50）により熱搬送回路（30）の通常動作及び除雪動作が実行されている例を示す）、第６開閉弁（46）が閉状態に設定される一方、第７開閉弁（47）が開状態に設定される。このため、上記通常／蓄熱／利用動作の各動作において戻り側ヘッダ（34）から排出された水は、戻り通路（31ｂ）内を流れて第６開閉弁（46）の上流側の手前で分岐通路（65）に流れ込んで該第６開閉弁（46）をバイパスするとともに、熱交換部（78ａ）を通過して熱交換部（78ｂ）との間で熱交換を行った後に、再び戻り通路（31ｂ）に戻って下流側へと流れる。熱交換部（78ｂ）内を流れる熱媒体は、この熱交換によって加熱され、該加熱された熱媒体が循環管路（72）を通じて集熱管（71）内に供給される。
【００７７】
したがって、降雪センサ（79）により降雪が検知されて、コントローラ（50）により熱搬送回路（30）の除雪動作が実行されると、上述のように、加熱された熱媒体が集熱管（71）に供給されることとなる。
【００７８】
ここで、上記実施形態１では、集熱管（71）の供給側端部が受光面（70ａ）に露出するように形成されており、したがって、加熱された熱媒体が集熱管（71）に供給されることによって、この露出部分（71ａ）（図７及び図１１に模式的に示す集熱管（71）の実線部分）も加熱されて高温になる。このため、太陽熱集熱器（70）の受光面（70ａ）に付着した雪は、この露出部分（71ａ）からの放熱によって溶かされて除去されることとなる。またさらに、該露出部分（71ａ）からの放熱が受光面（70ａ）全体に伝達されて該受光面（70ａ）の温度が上昇するので、該受光面（70ａ）上の積雪は確実に融解して除去されることとなる。よって、太陽熱集熱器（70）の受光面（70ａ）が雪で覆われて集熱管（71）による集熱効率が低下するのを防止することができる。そして、この集熱管（71）の露出部分（71ａ）と熱交換器（78）（熱交換部（78ａ，78b））とが除雪手段を構成している。
【００７９】
また、集熱管（71）を流れる熱媒体の温度は、受光面（70ａ）が積雪で覆われて集熱不能な状態にあるときには、集熱管（71）の下流側に行くほど低くなるが、上記実施形態１では、管内温度が最も高くなる供給側端部を受光面（70ａ）に露出させるようにしたことで、該露出部分（71ａ）の放熱量を可及的に高めることができて、受光面（70ａ）上の積雪を確実に融解除去することができる。
【００８０】
また、上記実施形態１では、集熱管（71）の露出部分（71ａ）（つまり集熱管（71）の供給側端部）は、受光面（70ａ）におけるその傾斜方向の上端部に位置している。したがって、降雪量が多いために受光面（70ａ）上に雪が積もってきた場合であっても、該積雪を効率良く確実に除去することができる。すなわち、集熱管の受光面（70ａ）の積雪は、集熱管の露出部分（71a）が位置する受光面（70ａ）の上端部側から溶け始める。そして、この溶けた雪が受光面（70ａ）に沿ってその傾斜方向（屋根面傾斜方向に略一致する方向）の下側に流れ、さらに下側の積雪を溶かすこととなる。こうして、受光面（70a）の積雪を、その上端側から下端側に向かって連鎖的に効率良く溶かして除去することができる。よって、受光面（70ａ）が積雪で覆われることによる集熱効率の低下を確実に防止することができる。
【００８１】
また、上記実施形態では、コントローラ（50）は、降雪センサ（79）により降雪が検知されたときに、熱搬送回路（30）に除雪動作を実行させる。したがって、雪が降り始めるのと同時に受光面（70ａ）上に付着した雪の除雪を開始することができる。よって、受光面（70ａ）が大量の積雪で覆われる前に該受光面（70ａ）に付着した雪を確実に溶かして除去することができる。
【００８２】
また、上記実施形態１では、コントローラ（50）は、降雪センサ（79）により降雪が検知されないときには、熱搬送回路（30）に除雪解除動作を実行させて、第７開閉弁（47）を閉状態とし且つ第６開閉弁（46）を開状態することで、該分岐通路（65）の流れを遮断する。これにより、除雪を要しない場合にまで両熱交換部（78a,78b）間で熱交換が行われて、暖房・給湯システム（10）全体の熱効率が低下するのを確実に防止することができる。
【００８３】
また、上記実施形態１では、集熱管（71）の一部である供給側端部が受光面（70a）に露出していてその他の部分は、強化ガラス（83）と保温板（81）との間の空気層（86）に覆われて外気に露出しないようになっている。したがって、該空気層（86）が、断熱材の役割を果たして集熱管（71）の表面から外気中への放熱を抑制するので、一旦集熱した太陽熱を逃がすことなく温水タンク（73）内の給湯用水に伝達して蓄熱することができる。
【００８４】
（実施形態２）
図９は、本発明の実施形態２を示し、太陽熱集熱器（70）の受光面（70ａ）に付着した雪を除去するための除雪手段として、除雪用の温風を吹出す送風ユニット（90）をさらに備えたものである。尚、図１と実質的に同じ構成要素については同じ符号を付してその詳細な説明を適宜省略する。
【００８５】
上記送風ユニット（90）は、屋根上面（80）に設けられていて、太陽熱集熱器（70）に対して屋根面傾斜方向の上側に配設されている。
【００８６】
送風ユニット（90）は、図１０に示すように、空気を加熱するための加熱部（90ａ）と、該加熱部（90ａ）よりも屋根面傾斜方向の上側に配設され、該加熱部（90ａ）にて加熱された空気を除雪用の温風として太陽熱集熱器（70）に吹き付ける送風ファン（90ｂ）と、該加熱部（90ａ）及び送風ファン（90ｂ）を内部に収容する矩形箱状のユニットケース（90ｃ）とを備えている。
【００８７】
ユニットケース（90ｃ）の太陽熱集熱器（70）側（屋根面傾斜方向の下側）の面には、温風を吹出すための吹出し口（90ｄ）が設けられている。
【００８８】
上記加熱部（90ａ）は、分岐通路（65）における熱交換部（78ａ）よりも上流側に設けられて、周辺の空気との間で熱交換を行うべく例えば螺旋状（図１０では、簡略化してストレート状の破線として示す）に形成されている。
【００８９】
上記送風ファン（90ｂ）は、コントローラ（50）により作動制御され、コントローラ（50）は、搬送回路（30）に除雪動作を実行させる際には、第６開閉弁（46）を閉状態とし且つ第７開閉弁（47）を開状態とするとともに該送風ファン（90ｂ）を駆動させる。
【００９０】
また、コントローラ（50）は、搬送回路（30）に除雪解除動作を実行させる際には、第６開閉弁（46）を開状態とし且つ第７開閉弁（47）を閉状態として送風ファン（90ｂ）を停止させる。
【００９１】
以上のように構成された本発明の実施形態２に係る太陽熱集熱システムを含む暖房・給湯システム（10）では、降雪センサ（79）により降雪が検知されると、コントローラ（50）により除雪動作が実行されて、送風ファン（90ｂ）が作動するとともに、第６開閉弁（46）が閉状態となり且つ第７開閉弁（47）が開状態となる。これにより、戻り側ヘッダ（34）から排出された高温水が分岐通路（65）に流れ込み、この結果、分岐通路（65）の熱交換部（78ａ）と循環管路（72）の熱交換部（78ｂ）との間で熱交換が実行されて、集熱管（71）に供給される熱媒体が加熱され、さらには、上記加熱部（90ａ）にてその周辺の空気が加熱される。この加熱された空気（温風）は、送風ファン（90ｂ）によりユニットケース（90ｃ）の吹出し口（90ｄ）から上記受光面（70ａ）に向かって吹き付けられる（図１０参照）。したがって、上記実施形態１と同様に集熱管(71)の露出部分（71ａ）の放熱でもって受光面（70ａ）上に付着した雪を溶かしながら、さらに送風ユニット（90）から吹出される温風によって該付着した雪を溶かすことができる。したがって、上記実施形態１と同様の作用効果をより一層確実に得ることが可能となる。
【００９２】
（他の実施形態）
本発明の構成は、上記各実施形態に限定されるものではなく、それ以外の種々の構成を包含するものである。すなわち、上記各実施形態では、集熱管（71）は、屋根面傾斜方向の上側から下側に向かって、左右方向に蛇行しながら延びるように形成されているが、これに限ったものではなく、例えば、図１１に示すように、左右方向の一側から他側に向かって屋根面傾斜方向に蛇行しながら延びるように形成してもよい。
【００９３】
また、上記各実施形態では、太陽熱集熱システムを給湯用に利用して太陽熱利用給湯システム（10ａ）を構成するようにしているが、これに限ったものではなく、例えば、温水タンク（73）にて蓄熱した熱を熱交換器を介して熱搬送回路（30）に供給するようにしてもよい。
【００９４】
また、上記各実施形態では、ヒートポンプ式の熱源ユニット（20）を有する暖房システム（10ｂ）を備えるようにしているが、これに限ったものではなく、熱交換部（78ｂ）（実施形態２では熱交換部（78ｂ）及び加熱部（90ａ））に熱エネルギを供給可能なシステムであればよい。
【００９５】
また、上記各実施形態では、降雪センサ（79）により降雪が検知されたときのみ、熱搬送回路（30）に除雪動作を実行させるようにしているが、これに限ったものではなく、例えば、降雪センサ（79）より降雪が検知されなくなった時から所定時間経過するまでの間は、除雪動作を継続するようにしてもよい。こうすることで、降雪がなくなった後も所定時間は熱搬送回路（30）に除雪動作を実行させて、太陽熱集熱器（70）の受光面（70ａ）上に残った積雪を確実に溶かして除去することが可能となる。
【００９６】
また、上記各実施形態では、集熱管（71）の供給側端部を太陽熱集熱器（70）の受光面（70ａ）に露出させるようにしているが、必ずしも供給側端部を露出させる必要はなく、排出側端部や中間部を露出させるようにしてもよい。
【００９７】
また、上記各実施形態では、太陽熱集熱器（70）は、パネル状に形成されているが、これに限ったものではなく、例えば矩形箱状に形成するようにしてもよい。
【産業上の利用可能性】
【００９８】
本発明は、熱媒体が流れる集熱管を内部に有して屋外に配設される太陽熱集熱器と、該太陽熱集熱器の受光面に付着した雪を除去するための除雪手段とを備えた太陽熱集熱システムに有用であり、特に、該太陽熱集熱器を傾斜した屋根上面に配設する場合に有用である。
【図面の簡単な説明】
【００９９】
【図１】本発明の実施形態１に係る太陽熱集熱システムを備えた暖房・給湯システムの概略構成図である。
【図２】暖房システムの熱搬送回路の動作と暖房負荷の関係を示す図表である。
【図３】暖房システムの除雪解除動作時における通常動作中の熱搬送回路の水の流れを示す概略構成図である。
【図４】暖房システムの除雪解除動作時における蓄熱動作中の熱搬送回路の水の流れを示す概略構成図である。
【図５】暖房システムの除雪解除動作時における利用動作中の熱搬送回路の水の流れを示す概略構成図である。
【図６】暖房システムの除雪動作時における通常動作中の熱搬送回路の水の流れを示す概略構成図である
【図７】太陽熱集熱器を示す、その受光面側から見た斜視図である。
【図８】図７におけるVIII方向矢視図である。
【図９】実施形態２を示す、図１相当図である。
【図１０】実施形態２において設けられる送風ファンと太陽熱集熱器とを示す、受光面側から見た斜視図である。
【図１１】他の実施形態を示す、図７相当図である。
【符号の説明】
【０１００】
７０      太陽熱集熱器
７０ａ    受光面
７１      集熱管
７１ａ    集熱管の露出部分（除雪手段）
７８      熱交換器（熱媒体加熱手段、除雪手段）
７９      降雪センサ（降雪検知手段）
８０      屋根上面
９０ａ    加熱部（空気加熱手段、除雪手段）
９０ｂ    送風ファン（送風手段、除雪手段）
【図１】
2009281623.tif 000003
【図２】
2009281623.tif 000004
【図３】
2009281623.tif 000005
【図４】
2009281623.tif 000006
【図５】
2009281623.tif 000007
【図６】
2009281623.tif 000008
【図７】
2009281623.tif 000009
【図８】
2009281623.tif 000010
【図９】
2009281623.tif 000011
【図１０】
2009281623.tif 000012
【図１１】
2009281623.tif 000013